(57)【特許請求の範囲】
【請求項１】
自局と通信することが可能な第１及び第２の携帯電話機の位置登録情報を記憶している基地局であって、
前記第１の携帯電話機から、前記第１の携帯電話機を介して通信が可能な第３の携帯電話機の位置登録情報を取得する取得部と、
前記第１の携帯電話機を介して、前記第３の携帯電話機にデータを送信する送信部と、を備え、
前記送信部は、前記第１の携帯電話機を介して前記第３の携帯電話機に前記データを送信している間に所定の条件を満たした場合は、前記第２の携帯電話機を介して前記第３の携帯電話機との通信が可能であるときに、前記データを前記第２の携帯電話機に送信するとともに、
前記第１の携帯電話機は、ユーザからの操作を受け付ける操作部をさらに備え、
前記所定の条件とは、前記第１の携帯電話機が、ユーザから前記第１の携帯電話機を使用するための操作を受け付けたことであること
を特徴とする基地局。
【請求項２】
前記取得部は、前記第２の携帯電話機を介して、前記第３の携帯電話機の位置登録情報を取得すること、
を特徴とする請求項１に記載の基地局。
【請求項３】
前記送信部は、前記第１の携帯電話機を介して前記第３の携帯電話機に前記データを送信している間に前記第１の携帯電話機への通話が確立された場合は、前記第３の携帯電話機宛のデータと、通話に関するデータとを前記第１の携帯電話機に送信すること、
を特徴とする請求項１乃至請求項２に記載の基地局。
【発明の詳細な説明】
【技術分野】
【０００１】
本発明は、携帯電話システム、パーソナル・ハンディフォン・システム（以下、ＰＨＳと略す）、あるいは携帯データ通信システム等の、いわゆる移動体通信用の中継技術に関するものであり、特に、一般ユーザが使用する携帯電話に、当該携帯電話が通信可能なエリアに位置する他の携帯電話の位置登録情報をビジターリストとして登録し、自身の位置登録情報とともにビジターリストの位置登録情報を基地局に送信し、当該ビジターリストに登録した他の携帯電話の通信を中継可能としたリピータ機能を有する携帯電話に関するものである。
【背景技術】
【０００２】
近年のデジタル通信技術の発展により、携帯電話、ＰＨＳ、携帯情報端末の利用が飛躍的に増大してきている。一般に移動体通信は、移動体通信用の基地局と移動体通信端末との間で電波を利用した無線通信を行っている。
【０００３】
例えば、ＰＨＳは、図５に示すように、通話サービスエリアを多数のマイクロセル４に区分けし、各マイクロセル４にＰＨＳ端末３との間で電波を送受信する基地局１が設置されており、基地局１、ＰＨＳ用接続装置５、交換機６、７等は専用線あるいは公衆線網など適宜の回線網によって接続されている。
【０００４】
ここで、基地局１とＰＨＳ端末３との間の無線通信は、（財）電波システム開発センターによって制定されたＲＣＲ  ＳＴＤ−２８によって行われている。ＰＨＳでは、広範囲の通話サービスエリアを確保するために、半径１００〜３００ｍの小さなマイクロセルをカバーする基地局を多数設置していた。ＰＨＳでは、基地局の電波が携帯電話に比べて小さいので、各基地局のカバーする範囲が狭くなっている。したがって、ＰＨＳ端末の送信電力も携帯電話に比べて１０ｍＷと低く設定されており、ＰＨＳ端末の小型化、電池の長寿命化を図ることができた。
【０００５】
このような通信システムの構成は携帯電話システムにおいても同様な構成であり、通信事業者によって基地局の設置密度や出力、使用周波数が異なり、個々の通信エリアの範囲が定まる。何れの通信システムであっても携帯電話が通信を行うためには、基地局との通信が可能なエリア内に位置していることが条件となる。
【０００６】
従って、基地局の設置密度が低い山間部などで携帯電話を使用する場合には基地局の通信エリア内にない、いわゆる通信圏外である場合には通信できないことになる。これは着信の場合も同様であって、通信の相手方の携帯電話が基地局の通信圏外にある時には呼（回線）の接続ができず通信できないことになる。
【０００７】
また、ＰＨＳや携帯電話システムにおいて、電波は障害物を通過しにくいため、従来は、利用者が電波の到達しにくい環境にいる場合には通信圏外にいるのと同じであり、使用できないことが多かった。例えば、携帯電話の場合には、利用者がビルの内部にいる場合には、電波がコンクリート壁などに阻まれるため通話できない状態になる。従って、利用者が電波の到達しにくい環境や、電波の弱くなる距離にいる場合には、利用者が自分の位置を変えて、電波が十分に届く場所に移動して回線を確保する必要があった。
【０００８】
このようにＰＨＳや携帯電話システムでは、電波の到達範囲が限られるために、移動体通信端末の使用可能な場所が制限され、任意の場所で移動体通信を使用できない場合があり、このことは利用者にとって非常に不便なことであった。
【０００９】
この不便さを解消するために、例えば、ＰＨＳにおいては、下記の特許文献１（特開２００２−２７１２５６号公報）に開示されるように、エリア内にリピータと称する中継装置を設置する技術が知られている。特許文献１に開示された中継装置は、図６に示すように、移動通信局（移動体通信端末）と基地局との間を中継接続するものである。
【００１０】
図６に示すようにこの中継装置は、周辺の複数の基地局が放送する制御チャネル信号をサーチするサーチユニット１０７ａを備え、各基地局の放送する制御チャネル信号をそれぞれ受信して、この制御チャネル信号に含まれる基地局の識別情報（ＩＤ）、受信レベル、および空きチャネル情報を取得する情報取得ユニット１０７ｂと、前記各基地局の識別情報、前記受信レベル、および前記空きチャネル情報（空きの通話スロット数）を基地局ごとに格納するメモリ１０５と、前記受信レベルおよび前記空きチャネル情報に基づいて、接続対象の基地局を選択する選択ユニット１０７ｃと、この選択ユニット１０７ｃにより選択された基地局と前記移動体端末との間を接続する接続ユニット１０７ｄとから構成されるものである。
【００１１】
この中継装置においては、移動体通信端末が放送している信号が、アンテナ１０１ｂに受信されて、無線ユニット１０２ｂに入力される。この信号によって、中継装置は、移動体通信端末と基地局とをリンクするためのリンクチャネル確立要求を受ける。そして中継装置は基地局の空きチャネル情報から通話可能（中継可能）な空きチャネルを有する基地局を選択してリンクチャネル確立要求を送出することによって中継すべき基地局の決定を短時間で行うようにしたものである。
【００１２】
また、下記の特許文献２（特開平９−２６１１４４号公報）にはＰＨＳ用中継システムが開示されている。ＰＨＳは都心部では主に昼間使用され、住宅地区では主に夜間使用されている。このため上記特許文献２に開示されたＰＨＳ用中継システムにおいては、基地局が都心部に設置され、都心部内のＰＨＳ端末の電波を加入者線に中継し、一方、住宅地区にはリピータが設置されており、リピータは都心部の基地局から送信された電波を受信して、住宅地区内のＰＨＳ端末に再送信し、また、リピータは住宅地区内のＰＨＳ端末から送信された電波を受信して、都心部の基地局へ再送信するように構成されている。これにより住宅地区内のＰＨＳ端末は、リピータ及び都心部の基地局を介して加入者線に接続される。
【００１３】
更に、下記の特許文献３（特開平８−９７７６２号公報）には、移動体通信用中継装置が開示されている。このシステムにおいては、基地局の電波を中継する装置（リピータ１）
と、移動体端末の電波を中継する装置（リピータ２）から構成され、リピータ１は、移動体通信に用いられる第１周波数の電波を送受信する回路と、該第１周波数とは異なる第２周波数の電波を送受信する回路と、該第１周波数を該第２周波数とを相互に変換する周波数変換回路とを合わせ持ち、リピータ２は、該第２周波数の電波を送受信する回路と、該第１周波数を該第２周波数に相互に変換する周波数変換回路とを合わせ持つように構成されたものである。
【特許文献１】特開２００２−２７１２５６号公報（図２、図７）
【特許文献２】特開平９−２６１１４４号公報（図１）
【特許文献３】特開平８−９７７６２号公報（図１、図２）
【発明の開示】
【発明が解決しようとする課題】
【００１４】
ところで、上記特許文献１ないし特許文献３に開示されるような中継装置は、各通信事業者がインフラの一環として適宜設置し、あるいは特定の通信事業者のサービスに加入している移動体通信端末の所有者が、通信事業者あるいはその販売代理店を介して購入し、自身の利用のために家屋内あるいはビル内等に設置するものであって、設置もしくは購入の際、中継装置には該当通信事業者の識別符号（通信事業者コード）が不揮発性メモリに書き込まれ、当該通信事業者コードに合致する信号のみを中継するように構成されている。これは各通信事業者のサービスに加入する加入者が通信事業者等から購入する移動体通信端末と同様である。
【００１５】
日本国内においては、同一の地域内に複数の通信事業者がそれぞれのインフラを設置し、あるいは他の通信事業者が設置した既存のインフラを借り受けてサービスしており、中継装置も同一の地域内に、それぞれの通信事業者の加入者間における通信を中継するために設置されることになる。このため、上記のように中継装置や移動体通信端末には該当する通信事業者の事業者コードが書き込まれるのである。従って、上記特許文献１に開示された中継装置においても、該中継装置は特定通信事業者の基地局の配下で中継動作を行うものであって、サーチする周辺の基地局の制御チャネル信号も、中継装置に設定された通信事業者コードに基づいて受信信号を選別するものである。
【００１６】
そして上記特許文献１ないし特許文献３に開示されたリピータ装置は、何れも携帯電話間の通信を中継する専用の中継装置であり、通信エリアの補完のために適宜設置されるものである。従って、携帯電話が基地局、リピータ装置の何れかの通信エリア内に位置していない場合に通信ができないという基本的な問題点は、依然として未解決のまま残ってしまう。
【００１７】
本願の発明者は上記の問題点を解消すべく種々検討を重ねた結果、一般ユーザが使用する携帯電話に、当該携帯電話が通信可能なエリアに位置する他の携帯電話の位置登録情報をビジターリストとして登録し、携帯電話の位置登録情報とともにビジターリストの位置登録情報を基地局に送信するように構成すれば、基地局と自携帯電話との通信、基地局と他の携帯電話との中継通信行えることに想到し、本発明を完成するに至ったものである。
【００１８】
すなわち、本発明は、一般ユーザが使用する携帯電話において、他の携帯電話と基地局との間の通信を中継するリピータ機能を付加した携帯電話を提供することを目的とするものである。
【課題を解決するための手段】
【００１９】
前記課題を解決するために、本願の請求項１にかかる発明は、基地局に対して自携帯電話の位置登録処理を行う位置登録処理部を備えた携帯電話において、前記携帯電話は、少なくとも第１の通信回路と第２通信回路と、自携帯電話が通信可能な範囲内に位置する他の携帯電話が送信する位置登録情報を受信してビジターリスト記憶部に登録するビジターリスト登録処理部と、切り換え制御部と、を備え、前記位置登録処理部は基地局に対する自携帯電話の位置登録処理に際して、自携帯電話の位置登録情報と前記ビジターリスト記憶部に登録した他の携帯電話の位置登録情報を基地局に送信し、前記切り換え制御部は、自携帯電話の通信信号を前記第１の通信回路または第２の通信回路の何れかにより処理し、前記ビジターリスト記憶部に登録した他の携帯電話の１つとの間の通信信号を前記第１の通信回路または第２の通信回路により中継処理するように前記第１の通信回路と第２の通信回路を切り換えるように構成したことを特徴とする。
【００２０】
また、本願の請求項２にかかる発明は、請求項１にかかる携帯電話において、前記リピータ機能を有する携帯電話は、前記第１の通信回路と第２の通信回路の他に更に通信回路を備え、前記ビジターリスト記憶部に登録した他の携帯電話の１つ以上との間の通信信号を前記通信回路の複数を用いて中継処理するように構成したことを特徴とする。
【００２１】
また、本願の請求項３にかかる発明は、請求項１または請求項２にかかる携帯電話において、前記ビジターリスト記憶部に登録する他の携帯電話は、自携帯電話と同一の通信事業者に加入した携帯電話であることを特徴とする。
【００２２】
また、本願の請求項４にかかる発明は、請求項１または請求項２にかかる携帯電話において、前記ビジターリスト記憶部に登録する他の携帯電話は、自携帯電話と同一の通信事業者に加入した携帯電話および他の通信事業者に加入した携帯電話を含むことを特徴とする。
【発明の効果】
【００２３】
請求項１にかかる発明においては、携帯電話は、少なくとも第１の通信回路と第２通信回路と、自携帯電話が通信可能な範囲内に位置する他の携帯電話が送信する位置登録情報を受信してビジターリスト記憶部に登録するビジターリスト登録処理部と、切り換え制御部と、を備え、位置登録処理部は基地局に対する自携帯電話の位置登録処理に際して、自携帯電話の位置登録情報と前記ビジターリスト記憶部に登録した他の携帯電話の位置登録情報を基地局に送信し、切り換え制御部は、自携帯電話の通信信号を前記第１の通信回路または第２の通信回路の何れかにより処理し、前記ビジターリスト記憶部に登録した他の携帯電話の１つとの間の通信信号を前記第１の通信回路または第２の通信回路により中継処理するように前記第１の通信回路と第２の通信回路を切り換える。
【００２４】
このような構成により、携帯電話は自携帯電話の通信エリア内の他の携帯電話の位置登録情報をビジターリストとして登録して基地局に位置登録処理し、自携帯電話の通信の他に、ビジターリストに登録した他の携帯電話の１つとの間の中継を行うリピータ装置として機能することができるようになる。従って、通信事業者は基地局の増加を抑制しながら、通信エリアを拡張することができるようになる。
【００２５】
また、請求項２にかかる発明においては、請求項１にかかる携帯電話において、前記携帯電話は、前記第１の通信回路と第２の通信回路の他に更に通信回路を備え、前記ビジターリスト記憶部に登録した他の携帯電話の１つ以上との間の通信信号を前記通信回路の複数を用いて中継処理する。このように構成すれば、携帯電話はビジターリスト記憶部に登録した他の携帯電話の複数との間の中継処理を行うことができるようになる。従って、通信事業者は基地局の増加を抑制しながら、通信エリアを拡張することができるようになる。
【００２６】
また、請求項３にかかる発明においては、請求項１または請求項２にかかる携帯電話において、ビジターリスト記憶部に登録する他の携帯電話は、自携帯電話と同一の通信事業者に加入した携帯電話である。これにより、通信事業者は基地局の増加を抑制しながら、通信エリアを拡張することができるようになる。また、携帯電話の利用者はリピータ機能を有する本発明にかかる携帯電話を利用することによって、料金面での優遇を受けることが期待できる。
【００２７】
また、請求項４にかかる発明においては、請求項１または請求項２にかかる携帯電話において、ビジターリスト記憶部に登録する他の携帯電話は、自携帯電話と同一の通信事業者に加入した携帯電話および他の通信事業者に加入した携帯電話を含む。これにより、通信事業者は基地局の増加を抑制しながら、通信エリアを拡張することができるようになる。また、携帯電話の利用者はリピータ機能を有する本発明にかかる携帯電話を利用することによって、料金面での優遇を受けることが期待できる。
【発明を実施するための最良の形態】
【００２８】
以下、本発明の具体例を実施例及び図面を用いて詳細に説明する。但し、以下に示す実施例は、本発明の技術思想を具体化するための携帯電話システムを例示するものであって、本発明をこの携帯電話システムに特定することを意図するものではなく、特許請求の範囲に含まれるＰＨＳシステムなどその他の実施形態の移動体通信システムにも等しく適用し得るものである。
【実施例】
【００２９】
図１は本発明の実施例にかかる携帯電話システムの概念を示すシステム構成図である。図１において、基地局Ｘ、Ｙは、それぞれ通信エリアＡ１、通信エリアＡ２の範囲内に位置する携帯電話から位置登録情報を受信して記憶し、通信エリア圏内に位置登録されている携帯電話から発信があった場合は当該携帯電話からの発信信号を受信し、相手方の電話との回線を接続し、通話信号を回線に送出する。また、通信エリア圏内に位置登録されている携帯電話に対する着信があった場合は当該携帯電話に着信信号、呼出し信号を送信し、発信元電話と接続された回線からの通話信号を着信電話に送出する。なお、各携帯電話の位置登録情報は、各基地局を統合する通信事業者の管理サーバ（図示せず）に集約され、各呼の回線接続は管理サーバによって制御される。
【００３０】
図１において、携帯電話Ａは基地局Ｘの通信エリアＡ１の通信圏内に位置し、基地局Ｘに位置登録情報を送信している。携帯電話Ｂは何れの基地局の通信エリアＡ１、Ａ２の通信圏内にも位置しておらず、いわゆる、通信圏外にある。いま、携帯電話Ａから携帯電話Ｂに発信した場合、携帯電話Ｂは通信圏外にあるので従来の携帯電話システムにおいては通信することはできない。
【００３１】
しかしながら、本実施例において各携帯電話には後述するリピータ装置（中継装置）の機能が搭載されており、例えば、基地局Ｙの通信エリアＡ２の通信圏内に位置している携帯電話Ｚがあり、かつ、携帯電話Ｂが携帯電話Ｚの通信可能なエリアＺ（以下、中継エリアＺということとする）の範囲内にある場合、携帯電話Ｚが携帯電話Ａと携帯電話Ｂとの間の通信を中継することができる。この場合の通信経路は、携帯電話Ａ〜基地局Ｘ〜基地局Ｙ〜携帯電話Ｚ〜携帯電話Ｂとなる。
【００３２】
各携帯電話の中継機能は、携帯電話の制御を司るオペレーティングシステム上でバックグラウンド動作するものであり、上記の例で携帯電話Ｚが携帯電話Ａと携帯電話Ｂとの間の通信を中継する場合、携帯電話Ｚのユーザが携帯電話Ｚを操作する必要はない。また、中継機能が動作中に携帯電話Ｚのユーザが携帯電話Ｚを使用するため何らかの操作を行った場合、基地局Ｙは携帯電話Ｚと同様の条件化下にある更に他の携帯電話の回線を代替回線として接続し、通信経路を切り換える制御を行う。
【００３３】
図２は本発明の実施例にかかる中継機能を有する携帯電話１０の構成を示す概略ブロック図である。携帯電話１０は、通話部１１と操作制御部２１から構成されている。操作制御部２１は、主制御部２２、表示部２３、操作部２４、切り換え制御部２５、リスト登録処理部２６、ビジターリスト記憶部２７、位置登録処理部２８などを備えて構成されている。
【００３４】
主制御部２２は、マイクロコンピュータ、ＲＡＭ、ＲＯＭ等からなりコンピュータ装置として機能し、無線部１４および操作制御部２１の上記各部を制御する。また、表示部２３、操作部２４は、携帯電話１０における通話のための表示および操作の他に、インターネット網を介したデータ通信のための操作および表示にも使用される。操作部２４は、通話時に電話番号入力をするため、また、電子メールをはじめとするインターネット網を介した各種のデータ通信サービスを利用するために所望の文字列を入力するために使用される。
【００３５】
図３は携帯電話１０の外観を示す図である。携帯電話１０は図３に示すように液晶表示ユニットなどで構成された表示部２３とを備えており、操作部２４には、通話キー２４１、機能選択キー２４３、テンキー２４５が設けられ、通話時にはテンキー２４５を操作して電話番号を入力し、通話キー２４１を操作すると発信できる。また、テンキー２４５には英文字、カタカナ、ひらがなの文字が割り当てられ、図示していない英数カナ変換制御部により文字コード変換が行われる。
【００３６】
文字コード変換は、入力モードが英数カナあるいはかな漢字変換モードであるかによりそれぞれ操作されたキーに応じた入力文字コードに変換される。機能選択キー２４３は携帯電話１０の種々の機能が割り当てられ、この機能選択キーを操作することにより所望の機能を選択することができる。また、表示部２３に表示されたメニューや機能項目を選択するためのカーソルキーなども備えられている。
【００３７】
位置登録処理部２８は携帯電話１０から基地局に対して一定周期で位置登録信号を送信する処理を行う。位置登録信号には、当該携帯電話１０が加入している通信事業者コード、携帯電話１０の電話番号などが含まれ、これにより基地局は当該基地局の通信エリアに通信可能な状態（電源オンしている状態）で位置している全ての携帯電話の存在を把握し、携帯電話１０からの発信、携帯電話１０への着信を接続することができる。
【００３８】
本実施例における携帯電話１０は、携帯電話１０が無線通信し得る範囲内に通信可能な状態で存在する他の携帯電話の位置登録信号を受信してビジターリストとして記憶し、自携帯電話１０の位置登録処理時に、ビジターリストに記憶した他の携帯電話の位置登録信号を自身の位置登録信号と組み合わせて基地局に送信する。これにより基地局に対して携帯電話１０と当該携帯電話１０が中継な他の携帯電話の位置登録が行われる。
【００３９】
このため、携帯電話１０はリスト登録処理部２６を備え、自携帯電話１０の通信エリア内から送信される他の携帯電話の位置登録信号を受信し、ビジターリスト記憶部２７に登録する。
【００４０】
一方、通話部１１は、マイク１２とスピーカ１３と無線部１４とから構成されており、無線部１４は、アンテナ１５、送受信回路、変復調回路、圧縮伸長回路、音声コーデック等を含む通信回路１４１と１４２を備えており、自機宛の通信の場合、無線部１４を介してマイク１２から入力された音声を音声信号として送信し、通話の相手方の音声信号を受信してスピーカ１３に出力する。
【００４１】
通信回路１４１と１４２は本質的に同等な回路であり、携帯電話１０自身の通信と、携帯電話１０のビジターリスト記憶部２７に登録された他の携帯電話の通信のいずれであっても通信回路１４１と１４２のいずれかを使用して通信することができる。従って、通信回路１４１と１４２を使用して携帯電話１０自身の通信と他の携帯電話の通信の中継動作を行うことができる。他の携帯電話の通信を中継する場合、マイク１２からの音声入力、スピーカ１３への音声出力は必要なく、通信回路１４１または１４２内の送受信回路で折り返すいわゆるリピータ装置と同様の動作を行う。
【００４２】
携帯電話１０は自携帯電話宛またはビジターリストに登録された他の携帯電話宛の信号を捕捉すると、通信回路１４１または１４２の何れかを使用して通信または中継を行う。図４は、図２のブロック図における通信回路１４１、１４２の構成を示す図である。携帯電話１０から送信される電波あるいは携帯電話１０で受信する電波は送受波器１４３を介してアンテナから送受信される。
【００４３】
携帯電話１０は、自携帯電話１０宛の通信およびビジターリストに登録した他の携帯電話宛の通信を同時に受信し、通話と中継処理を行うことができる。アンテナを介して送受波器１４３で受信した電波は、捕捉した順に、送受フィルタ１４４ａ、１４４ｂにおいて分離される。最初に捕捉した電波が自携帯電話１０宛の通信である場合、送受フィルタ１４４ａを介して送受信される。また、自携帯電話１０宛の通信中に、次に受信した電波が他の携帯電話に対する通信である場合、送受フィルタ１４４ｂを介して送受信される。
【００４４】
送受フィルタ１４４ａに受信された信号は受信側の第１ＢＦＦ（第１バッファ）１４６ａにバッファされ、受信回路１４８を介して変復調回路に送られる。一方、他の携帯電話への中継信号は、送受フィルタ１４４ｂに受信された信号は受信側の第２ＢＦＦ（第２バッファ）１４６ｂにバッファされ、受信回路１４８を介して送信回路１４７に中継される。
【００４５】
また、自携帯電話１０からの通話信号は変復調回路から送信回路１４７を介して送信側の第１ＢＦＦ（第１バッファ）１４５ａにバッファされ、送受フィルタ１４４ａ、送受波器１４３、アンテナを介して送信される。また、他の携帯電話へ送る中継信号は、送信回路１４７を介して送信側の第２ＢＦＦ（第２バッファ）１４５ｂにバッファされ、送受フィルタ１４４ａ、送受波器１４３、アンテナを介して送信される。切り換え制御部２５は捕捉した信号が自携帯電話１０の通信であるか、ビジターリスト記憶部２７に登録した他の携帯電話の通信の中継であるかを判別し、上記通信回路１４１、１４２の切り換えを制御するものである。
【００４６】
以上説明したように、本発明によれば一般のユーザが使用する携帯電話１０にリピータ装置の機能を持たせることができ、自携帯電話１０の通信とビジターリストに登録された他の携帯電話の通信の中継を同時に実行することができる。このため、基地局の設置場所が密でないエリアにおける場所における通信環境を改善することができ、通信事業者にとっては通信インフラの投資を抑制することができる。また、本発明にかかるリピータ機能を有する携帯電話１０を使用するり加入者には、利用料金を割引することによって投資抑制のコスト還元を行えばより普及を促進することができる。
【００４７】
なお、本実施例において、携帯電話１０が中継のためにビジターリスト記憶部２７に登録する他の携帯電話は、自携帯電話１０が加入している通信事業者と同じ通信事業者に加入している携帯電話に限定することができる。これは他の携帯電話が送信する位置登録信号に含まれる通信事業者コードにより容易に判別することができる。
【００４８】
また、通信事業者の間でローミングシステムが確立していれば、携帯電話１０は当該ローミング処理により複数の通信事業者の基地局と通信することが可能であるから、ビジターリスト記憶部２７に登録する他の携帯電話が加入する通信事業が他の通信事業者であっても登録するように構成し、通信事業者が相違する携帯電話間の通信も中継することができるようになる。
【００４９】
更に、本発明の携帯電話１０によれば、複数の通信回路１４１、１４２を備えており、捕捉した電波を分離して処理する構成により自携帯電話１０の通信と、他の携帯電話に対する中継を同時に行うことができる。このような構成によれば、ＰＨＳや他の移動体通信システムのようにシステムが異なる移動体端末装置との間の通信の中継を行うこともできる。
【００５０】
上記実施例において、携帯電話１０は２つの通信回路１４１と１４２を備え、自携帯電話１０の通信の他に、ビシターリスト記憶部２７に登録した他の携帯電話の１つに対する通信の中継を行うことができる構成としたが、携帯電話１０を構成するマイクロコンピュータに高性能のチップを搭載すれば、更に通信回路を増加して同時に中継できる他の携帯電話数を複数に増加することも可能である。
【００５１】
尚、時分割方式で本発明を実施しても良い。
【産業上の利用可能性】
【００５２】
本発明によれば、基地局の設置数を増加することなく、通信可能なエリアを拡大できるため、通信インフラへの投資を抑制することができ、移動体通信システムの利便性を向上することができる。
【図面の簡単な説明】
【００５３】
【図１】本発明の実施例にかかる携帯電話システムの概念を示すシステム構成図である。
【図２】本発明の実施例にかかる中継機能を有する携帯電話の構成を示す概略ブロック図である。
【図３】本発明の実施例にかかる携帯電話の外観を示す図である。
【図４】図２のブロック図における通信回路の構成を示すブロック図である。
【図５】従来のリピータ装置を用いた通信システムの構成を示す図である。
【図６】従来のリピータ装置の構成を示すブロック図である。
【符号の説明】
【００５４】
１０・・・・携帯電話
１１・・・・通話部
１２・・・・マイク
１３・・・・スピーカ
１４・・・・無線部
１５・・・・アンテナ
１４１・・・通信回路
１４２・・・通信回路
２１・・・・操作制御部
２２・・・・主制御部
２３・・・・表示部
２４・・・・操作部
２５・・・・切り換え制御部
２６・・・・リスト登録処理部
２７・・・・ビジターリスト記憶部
２８・・・・位置登録処理部
【図１】
0004749125.tif 000002
【図２】
0004749125.tif 000003
【図３】
0004749125.tif 000004
【図４】
0004749125.tif 000005
【図５】
0004749125.tif 000006
【図６】
0004749125.tif 000007